(57)【要約】【課題】吹出口から吹き出す送風の方向を制御できる範囲を低製造コストで拡大した天井設置型室内機、及び空気調和機を提供する。【解決手段】天井設置型室内機の下面をなす化粧パネル２には、複数個の吹出口５が設けられている。風向板４は一つの吹出口５に複数個設けられ、当該複数個の風向板４は同じ吹出口５で回転軸方向が互いに異なる。吹出口５は、長手方向が円弧形状であり、一つの吹出口５に複数個設けられた風向板４は、当該円弧の半径と垂直面方向に向かって上下に回動する。吹出口５は、互いに間隔を空けて円環状に複数個設けられている。【選択図】図４
2018169063.tif 000002
【特許請求の範囲】
【請求項１】
筺体と、
前記筺体内に空気を吸い込む吸込口と、
前記筺体下面の外周部に設けられ、空気を吹き出す吹出口と、
前記吹出口から吸い込んだ空気と冷媒とを熱交換する熱交換器と、
前記熱交換後の空気を前記吹出口へ送り出す送風ファンと、
前記吹出口に並べて配置され、前記吹出口から吹き出す空気の流れを制御する風向板と、
前記風向板を回転駆動する駆動部とを備え、
前記風向板は一つの吹出口に複数個設けられ、当該複数個の風向板は同じ吹出口で回転軸方向が互いに異なることを特徴とする天井設置型室内機。
【請求項２】
前記吹出口は、長手方向が円弧形状であり、
一つの吹出口に円弧を描くように複数個設けられた前記風向板のそれぞれは、前記円弧形状の中心方向を向いた回転軸を有しており、
前記風向板は、それぞれ前記円弧形状の半径と垂直をなす面方向に上下に回動することを特徴とする請求項１に記載の天井設置型室内機。
【請求項３】
前記吹出口は、互いに間隔を空けて単一の円環上に複数並んでいることを特徴とする請求項２に記載の天井設置型室内機。
【請求項４】
前記各風向板は、その回転軸が前記筺体下面の中心から放射状に配置されていることを特徴とする請求項３に記載の天井設置型室内機。
【請求項５】
前記風向板は、その風を受ける面が前記筺体下面の外周側に向かって上り勾配となることを特徴とする請求項１〜４のいずれかの一項に記載の天井設置型室内機。
【請求項６】
前記風向板は、
その回転軸方向に沿った方向の面であって、前記風向板の回転角度に応じて送風方向を制御する第１の面と、
前記回転軸方向と交差する方向の面であって、前記筺体下面の外周側に向かって送風方向を制御する第２の面とを備えることを特徴とする請求項１〜５のいずれかの一項に記載の天井設置型室内機。
【請求項７】
前記風向板を駆動するモータを備え、
前記モータは、前記吹出口ごとに異なるものが前記風向板を駆動し、
前記吹出口ごとの複数個の前記風向板は前記各モータにより一括して駆動されることを特徴とする請求項１〜６のいずれかの一項に記載の天井設置型室内機。
【請求項８】
隣接し合う前記吹出口同士の距離は１６３ｍｍ以上であり、前記円環の中心から視て隣接し合う前記吹出口同士の離れ角度は２２°以上であることを特徴とする請求項３又は請求項４に記載の天井設置型室内機。
【請求項９】
室外機と、
前記室外機と冷媒配管で接続される複数台の請求項１乃至８の何れかの一項に記載の天井設置型室内機とを備えることを特徴とする空気調和機。
【発明の詳細な説明】
【技術分野】
【０００１】
本発明は、天井設置型室内機、及び空気調和機に関する。
【背景技術】
【０００２】
本技術分野の背景技術として、特開平２０１５−１７５５４９号公報（特許文献１）がある。この公報には、「空気吹出口３４の一方の長辺３４ａ側に回転支軸４１，４１を有する第１風向板４０と、他方の長辺３４ｂ側に回転支軸５３，５３を有する第２風向板５０とを備え、空気調和機の空調運転の停止時に所定の駆動手段により、第２風向板５０が先に空気吹出口３４内の閉位置に回動され、その後に第１風向板４０が閉位置に回動され、第２風向板５０を第１風向板４０で隠す。」と記載されている（要約参照）。
【先行技術文献】
【特許文献】
【０００３】
【特許文献１】特開２０１５−１７５５４９号公報
【発明の概要】
【発明が解決しようとする課題】
【０００４】
前記特許文献１には、空気吹出口に第１風向板と第２風向板を設けて、遠方まで送風する技術が提案されている。この風向板は空気吹出口の長手方向と直交する方向に向かって上下に回動する。
【０００５】
しかし、このような特許文献１の技術では、略長方形の吹出口に対し、上下方向にしか送風方向を変更できず、例えば吹出口の長手方向に対して鋭角をなす方向に送風の向きを制御することはできない。したがって、送風される場所が限られ、温度ムラが生じるとともに、部屋全体を同じ温度にするまで長時間を要する等の不具合を生じ、使用者の快適性および省エネルギー性が損なわれるという不具合がある。
そこで、本発明は、吹出口から吹き出す送風の方向を制御できる範囲を拡大した天井設置型室内機、及び空気調和機を提供することを課題とする。
【課題を解決するための手段】
【０００６】
上記課題を解決するため、本発明の一形態は、筺体と、前記筺体内に空気を吸い込む吸込口と、前記筺体下面の外周部に設けられ、空気を吹き出す吹出口と、前記吹出口から吸い込んだ空気と冷媒とを熱交換する熱交換器と、前記熱交換後の空気を前記吹出口へ送り出す送風ファンと、前記吹出口に並べて配置され、前記吹出口から吹き出す空気の流れを制御する風向板と、前記風向板を回転駆動する駆動部とを備え、前記風向板は一つの吹出口に複数個設けられ、当該複数個の風向板は同じ吹出口で回転軸方向が互いに異なることを特徴とする天井設置型室内機である。
【０００７】
別の本発明の一形態は、室外機と、前記室外機と冷媒配管で接続される複数台の天井設置型室内機とを備え、前記各天井設置型室内機は、筺体と、前記筺体内に空気を吸い込む吸込口と、前記筺体下面の外周部に設けられ、空気を吹き出す吹出口と、前記吹出口から吸い込んだ空気と冷媒とを熱交換する熱交換器と、前記熱交換後の空気を前記吹出口へ送り出す送風ファンと、前記吹出口に並べて配置され、前記吹出口から吹き出す空気の流れを制御する風向板と、前記風向板を回転駆動する駆動部とを備え、前記風向板は一つの吹出口に複数個設けられ、当該複数個の風向板は同じ吹出口で回転軸方向が互いに異なることを特徴とする空気調和機である。
【発明の効果】
【０００８】
本発明によれば、吹出口から吹き出す送風の方向を制御できる範囲を拡大した天井設置型室内機、及び空気調和機を提供することができる。
上記した以外の課題、構成及び効果は、以下の実施形態の説明により明らかにされる。
【図面の簡単な説明】
【０００９】
【図１】本発明の実施例１である空気調和機のシステム構成を示す説明図である。
【図２】本発明の実施例１である天井設置型室内機の縦断面図である。
【図３】本発明の実施例１である天井設置型室内機の平面断面図である。
【図４】本発明の実施例１である天井設置型室内機の化粧パネルを下側から視た平面図である。
【図５】本発明の実施例１である天井設置型室内機の１つの吹出口における複数の風向板の配列を部分的に切り出して上側から視た図である。
【図６】本発明の実施例１である天井設置型室内機の１つの吹出口における複数の風向板の配列を部分的に切り出して上側から視た図である。
【図７】本発明の実施例１である天井設置型室内機の１つの吹出口における複数の風向板の配列を部分的に切り出して上側から視た図である。
【図８】本発明の実施例１である天井設置型室内機における風向板の駆動部の概念図である。
【図９】本発明の実施例１である天井設置型室内機における１つの吹出口から吹き出す風の例を示している。（Ａ）〜（Ｄ）は、この順に水平面を基準とした風向板の回転角度が大きくなっている。（Ａ）〜（Ｄ）のそれぞれにおいて、（ａ）は上下方向の風１の拡がりを示し、（ｂ）は、水平方向の風の拡がりを示している。
【図１０】本発明の実施例１である天井設置型室内機の各吹出口において、各風向板の回転角度を均一にした場合における水平方向の風の向きを示している。
【図１１】本発明の実施例１である天井設置型室内機における隣り合う２つの吹出口から吹き出す風を説明する説明図である。（Ａ）〜（Ｃ）は、隣り合う２つの吹出口から風を様々なパターンで吹き出す例を示している。（ａ）は上下方向の風の拡がりを示し、（ｂ）は、水平方向の風の拡がりを示している。
【図１２】本発明の実施例１である天井設置型室内機の全ての吹出口から風を吹き出す例を示す図である。
【図１３Ａ】本発明の実施例１である天井設置型室内機の底面図である。
【図１３Ｂ】本発明の実施例１である天井設置型室内機の正面図である。
【図１３Ｃ】本発明の実施例１である天井設置型室内機の右側面図である。
【図１３Ｄ】本発明の実施例１である天井設置型室内機の平面図である。
【図１３Ｅ】本発明の実施例１である天井設置型室内機の背面図である。
【図１３Ｆ】本発明の実施例１である天井設置型室内機の図１３Ａのａ−ａ，ｂ−ｂ部分拡大図である。
【図１３Ｇ】本発明の実施例１であるある天井設置型室内機の図１３Ｆのｃ−ｃ拡大端面図である。
【図１３Ｈ】本発明の実施例１である天井設置型室内機の図１３Ｇのｄ−ｄ部分拡大図である。
【図１３Ｉ】本発明の実施例１である天井設置型室内機の図１３Ｆのｇ−ｇ拡大端面図である
【図１３Ｊ】本発明の実施例１である天井設置型室内機の図１３Ｆのｅ−ｅ，ｆ−ｆ部分拡大図である。
【図１３Ｋ】本発明の実施例１である天井設置型室内機の図１３Ｊのｈ−ｈ部分拡大図である。
【図１３Ｌ】本発明の実施例１である天井設置型室内機の風向板を開いた状態を示す図１３Ｆのｈ−ｈ部分拡大図である。
【図１４】本発明の実施例２である天井設置型室内機における風向板の構成例を示す図であり、（Ａ）は側面図、（Ｂ）は斜視図である。
【図１５】本発明の実施例２である天井設置型室内機における風向板を取り付けた状態を示す縦断面図であり、（Ａ）〜（Ｃ）は互いに異なる角度に風向板を向けた状態を示している。
【図１６】本発明の実施例３である天井設置型室内機を下側から視た平面図である。
【図１７Ａ】本発明の実施例３である天井設置型室内機の底面図である。
【図１７Ｂ】本発明の実施例３である天井設置型室内機の正面図である。
【図１７Ｃ】本発明の実施例３である天井設置型室内機の右側面図である。
【図１７Ｄ】本発明の実施例３である天井設置型室内機の平面図である。
【図１７Ｅ】本発明の実施例３である天井設置型室内機の背面図である。
【図１７Ｆ】本発明の実施例３である天井設置型室内機の図１７Ａのａ−ａ，ｂ−ｂ部分拡大図である。
【図１７Ｇ】本発明の実施例３である天井設置型室内機の図１７Ｆのｃ−ｃ拡大端面図である。
【図１７Ｈ】本発明の実施例３である天井設置型室内機の図１７Ｇのｄ−ｄ部分拡大図である。
【図１７Ｉ】本発明の実施例３である天井設置型室内機の図１７Ｆのｇ−ｇ拡大端面図である
【図１７Ｊ】本発明の実施例３である天井設置型室内機の図１７Ｆのｅ−ｅ，ｆ−ｆ部分拡大図である。
【図１７Ｋ】本発明の実施例３である天井設置型室内機の図１７Ｊのｈ−ｈ部分拡大図である。
【図１７Ｌ】本発明の実施例３である天井設置型室内機の風向板を開いた状態を示す図１７Ｆのｈ−ｈ部分拡大図である。
【図１８Ａ】本発明の実施例３である天井設置型室内機の底面図である。
【図１８Ｂ】本発明の実施例３である天井設置型室内機の正面図である。
【図１８Ｃ】本発明の実施例３である天井設置型室内機の右側面図である。
【図１８Ｄ】本発明の実施例３である天井設置型室内機の平面図である。
【図１８Ｅ】本発明の実施例３である天井設置型室内機の背面図である。
【図１８Ｆ】本発明の実施例３である天井設置型室内機の図１８Ａのａ−ａ，ｂ−ｂ部分拡大図である。
【図１８Ｇ】本発明の実施例３である天井設置型室内機の図１８Ｆのｃ−ｃ拡大端面図である。
【図１８Ｈ】本発明の実施例３である天井設置型室内機の図１８Ｇのｄ−ｄ部分拡大図である。
【図１８Ｉ】本発明の実施例３である天井設置型室内機の図１８Ｆのｇ−ｇ拡大端面図である
【図１８Ｊ】本発明の実施例３である天井設置型室内機の図１８Ｆのｅ−ｅ，ｆ−ｆ部分拡大図である。
【図１８Ｋ】本発明の実施例３である天井設置型室内機の図１８Ｊのｈ−ｈ部分拡大図である。
【図１８Ｌ】本発明の実施例３である天井設置型室内機の風向板を開いた状態を示す図１８Ｆのｈ−ｈ部分拡大図である。
【図１９Ａ】本発明の実施例１である天井設置型室内機の底面図である。
【図１９Ｂ】本発明の実施例１である天井設置型室内機の正面図である。
【図１９Ｃ】本発明の実施例１である天井設置型室内機の右側面図である。
【図１９Ｄ】本発明の実施例１である天井設置型室内機の平面図である。
【図１９Ｅ】本発明の実施例１である天井設置型室内機の背面図である。
【図１９Ｆ】本発明の実施例１である天井設置型室内機の図１９Ａのａ−ａ，ｂ−ｂ部分拡大図である。
【図１９Ｇ】本発明の実施例１である天井設置型室内機の図１９Ｆのｃ−ｃ拡大端面図である。
【図１９Ｈ】本発明の実施例１である天井設置型室内機の図１９Ｇのｄ−ｄ部分拡大図である。
【図１９Ｉ】本発明の実施例１である天井設置型室内機の図１９Ｆのｇ−ｇ拡大端面図である
【図１９Ｊ】本発明の実施例１である天井設置型室内機の図１９Ｆのｅ−ｅ，ｆ−ｆ部分拡大図である。
【図１９Ｋ】本発明の実施例１である天井設置型室内機の図１９Ｊのｈ−ｈ部分拡大図である。
【図１９Ｌ】本発明の実施例１である天井設置型室内機の風向板を開いた状態を示す図１９Ｆのｈ−ｈ部分拡大図である。
【図２０Ａ】本発明の実施例３である天井設置型室内機の底面図である。
【図２０Ｂ】本発明の実施例３である天井設置型室内機の正面図である。
【図２０Ｃ】本発明の実施例３である天井設置型室内機の右側面図である。
【図２０Ｄ】本発明の実施例３である天井設置型室内機の平面図である。
【図２０Ｅ】本発明の実施例３である天井設置型室内機の背面図である。
【図２０Ｆ】本発明の実施例３である天井設置型室内機の図２０Ａのａ−ａ，ｂ−ｂ部分拡大図である。
【図２０Ｇ】本発明の実施例３である天井設置型室内機の図２０Ｆのｃ−ｃ拡大端面図である。
【図２０Ｈ】本発明の実施例３である天井設置型室内機の図２０Ｇのｄ−ｄ部分拡大図である。
【図２０Ｉ】本発明の実施例３である天井設置型室内機の図２０Ｆのｇ−ｇ拡大端面図である
【図２０Ｊ】本発明の実施例３である天井設置型室内機の図２０Ｆのｅ−ｅ，ｆ−ｆ部分拡大図である。
【図２０Ｋ】本発明の実施例３である天井設置型室内機の図２０Ｊのｈ−ｈ部分拡大図である。
【図２０Ｌ】本発明の実施例３である天井設置型室内機の風向板を開いた状態を示す図２０Ｆのｈ−ｈ部分拡大図である。
【図２１Ａ】本発明の変形例１である天井設置型室内機の底面図である。
【図２１Ｂ】本発明の変形例１である天井設置型室内機の正面図である。
【図２１Ｃ】本発明の変形例１である天井設置型室内機の右側面図である。
【図２１Ｄ】本発明の変形例１である天井設置型室内機の平面図である。
【図２１Ｅ】本発明の変形例１である天井設置型室内機の背面図である。
【図２１Ｆ】本発明の変形例１である天井設置型室内機の図２１Ａのａ−ａ，ｂ−ｂ部分拡大図である。
【図２１Ｇ】本発明の変形例１である天井設置型室内機の図２１Ｆのｃ−ｃ拡大端面図である。
【図２１Ｈ】本発明の変形例１である天井設置型室内機の図２１Ｇのｄ−ｄ部分拡大図である。
【図２１Ｉ】本発明の変形例１である天井設置型室内機の図２１Ｆのｇ−ｇ拡大端面図である
【図２１Ｊ】本発明の変形例１である天井設置型室内機の図２１Ｆのｅ−ｅ，ｆ−ｆ部分拡大図である。
【図２１Ｋ】本発明の変形例１である天井設置型室内機の図２１Ｊのｈ−ｈ部分拡大図である。
【図２１Ｌ】本発明の変形例１である天井設置型室内機の風向板を開いた状態を示す図２１Ｆのｈ−ｈ部分拡大図である。
【図２１Ｍ】本発明の変形例１である天井設置型室内機の稜線を表した底面図である。
【図２２Ａ】本発明の変形例２である天井設置型室内機の底面図である。
【図２２Ｂ】本発明の変形例２である天井設置型室内機の正面図である。
【図２２Ｃ】本発明の変形例２である天井設置型室内機の右側面図である。
【図２２Ｄ】本発明の変形例２である天井設置型室内機の平面図である。
【図２２Ｅ】本発明の変形例２である天井設置型室内機の背面図である。
【図２２Ｆ】本発明の変形例２である天井設置型室内機の図２２Ａのａ−ａ，ｂ−ｂ部分拡大図である。
【図２２Ｇ】本発明の変形例２である天井設置型室内機の図２２Ｆのｃ−ｃ拡大端面図である。
【図２２Ｈ】本発明の変形例２である天井設置型室内機の図２２Ｇのｄ−ｄ部分拡大図である。
【図２２Ｉ】本発明の変形例２である天井設置型室内機の図２２Ｆのｇ−ｇ拡大端面図である
【図２２Ｊ】本発明の変形例２である天井設置型室内機の図２２Ｆのｅ−ｅ，ｆ−ｆ部分拡大図である。
【図２２Ｋ】本発明の変形例２である天井設置型室内機の図２２Ｊのｈ−ｈ部分拡大図である。
【図２２Ｌ】本発明の変形例２である天井設置型室内機の風向板を開いた状態を示す図２２Ｆのｈ−ｈ部分拡大図である。
【図２２Ｍ】本発明の変形例２である天井設置型室内機の稜線を表した底面図である。
【発明を実施するための形態】
【００１０】
以下、本発明の実施例について図面を用いて説明する。
【実施例１】
【００１１】
図１は、本実施例にかかる空気調和機１０００のシステム構成を示す説明図である。この空気調和機１０００は、室外機２００と、室外機２００と冷媒配管３００や電気配線で接続され、各部屋の天井に設置される複数台の天井設置型室内機１００とから構成される。この空気調和機１０００は、周知の冷凍サイクルにより冷房、暖房等の運転を行う。天井設置型室内機１００には、空調の操作を行うリモコン４００が接続されている。
【００１２】
図２は、天井設置型室内機１００の縦断面図、図３は、同平面断面図である。図２において、天井設置型室内機１００は、天井内に埋め込まれる筐体１と、この筐体下面を覆うように該筐体１に取り付けられ且つ天井面位置に配設された化粧パネル（下面）２とを備えている。化粧パネル２には、その中心に吸込口２ａが設けられており、この吸込口２ａには吸込みグリル３が設けられている。更に、化粧パネル２の吸込みグリル３の周囲には風向板４を備える吹出口５が配設されている。
【００１３】
筐体１内には、遠心ファン６ａと、この遠心ファン６ａを回転させるためのモータ６ｂを備える遠心送風機（送風ファン）６が設置され、前記モータ６ｂを運転することにより前記遠心ファン６ａが回転して、図２の矢印１５に示すように、室内空気は、吸込みグリル３と、この吸込みグリル３に設置されたフィルタ１６を通り、前記筐体１内に設置されたベルマウス１０に案内されて、遠心ファン６ａの吸込口に吸い込まれ、矢印１８で示すように遠心ファン６ａの吐出口から吐出される。
【００１４】
また、遠心送風機６の周囲を取り囲むように、筐体1内には室内熱交換器（熱交換器）８が配置されており、遠心ファン６ａから吐出された空気は、室内熱交換器８で熱交換された後、矢印１７に示すように、室内熱交換器８の外周面側と筐体１の内面（筐体１の上部内面及び側部内面）で形成される吹出流路２０を通って、吹出口５から室内に吹き出される。室内熱交換器８の下部には、冷房時に室内熱交換器８に生じる結露水を受けるためのドレンパン９が設置されている。
【００１５】
吸込みグリル３はフィルタ１６と共に化粧パネル２から着脱可能に構成されており、フィルタ１６の清掃が容易な構造となっている。ベルマウス１０の下面には、天井設置型室内機１００の運転を制御するための制御基板を収納した電気品箱１１が設置されており、吸込みグリル３を開けることにより、前記電気品箱１１のメンテナンスが容易に可能な構造となっている。ベルマウス１０はドレンパン９の内周部に取付けられており、吸込みグリル３を開き、ベルマウス１０を取り外すことにより、遠心ファン６ａやモータ６ｂの交換などのメンテナンスも容易に行えるように構成されている。なお、符号２８は筐体１の内側面に設けられている断熱材である。
【００１６】
図３は、図２に示す天井設置型室内機１００を、筐体１の天板１ａ側から見た平面断面図で、遠心ファン６ａの吐出口を通る部分の断面を示している。この図３に示すように、室内熱交換器８は、遠心ファン６ａを取り囲むように、円筒状に構成されている。また、符号２２は、室内熱交換器８に接続される配管や補器を収納するための機械室である。
ところで、前記特許文献１には、空気吹出口に第１風向板と第２風向板を設けて、遠方まで送風する技術が提案されている。この風向板は空気吹出口の長手方向と直交する方向に向かって上下に回動する。
【００１７】
しかし、このような特許文献１の技術では、略長方形の吹出口に対し、上下方向にしか送風方向を変更できず、吹出口の長手方向に対して鋭角をなす方向に送風の向きを制御（変更）することはできない。したがって、送風される場所が限られ、温度ムラが生じるとともに、部屋全体を同じ温度にするまで長時間を要する等の不具合を生じ、使用者の快適性および省エネルギー性が損なわれるという不具合がある。
【００１８】
また、家庭用のルームエアコンにおける壁設置式の室内機には、吹出口の長手方向と直交する方向に風向きを制御する風向板の他に、吹出口の長手方向に対して鋭角をなす方向に風向きを制御する風向板が設けられ、吹出口の長手方向に対して鋭角をなす方向にも上下方向にも送風方向を変更可能としているものがある。しかし、この場合は風向きを制御する２種類の風向板を別体で設けるため、部品点数および製造コストが増大してしまうという不具合がある。
そこで、本実施例の天井設置型室内機１００が、かかる課題を如何に解決したかについて以下に説明する。
【００１９】
次に、吹出口５、風向板４について説明する。図４は、化粧パネル（筺体下面）２を下側から視た平面図である。図４において、吸込口２ａ、吸込みグリル３の図示は省略している。本例で、化粧パネル２は四角形状をしている。吹出口５は化粧パネル２に複数個、本例で４つ設けられている。各吹出口５は、化粧パネル２の外縁（化粧パネル２の四角形状の各辺）近くに設けられている。各吹出口５は、その長手方向が円弧形状である。より具体的には、吹出口５は、互いに所定の間隔（後述）３１を空けて単一の円環上に４つ並んで設けられている。化粧パネル２の下から視た形状は、四角形状に限らず、各吹出口５の形状に沿った円形状としてもよい。
なお、詳細は後記するが、図４において、符号３５は、円弧状に一列に配列された各風向板４の配列の中心である。また、符号３６は中心３５から放射状に延びる線であり、平面視した各回転軸４ａの軸方向を示すものである。また、符号５２は、円弧状に配列された各風向板４の配列における中心３５からの半径（半径方向）を示すものであり、その方向は、前記線３６と同じである。
【００２０】
図５〜図７は、１つの吹出口５における複数の風向板４の配列を部分的に切り出して上側から視た図である。図５は、風向板４を全閉にした状態、図６、図７は、風向板４を開いた状態を示している（図６と図７とは斜視図を描く際の視点が異なっている）。各風向板４は、両側に設けられた一対の回転軸４ａ，４ａにより、風向板４の並びの両側に設けられた一対のフレーム３２に回動自在に支持されている。一対のフレーム３２，３２のうち、外側のフレーム３２ａの更に外側には機構収納部３３がフレーム３２ａに沿って設けられている。機構収納部３３は各風向板４を、回転軸４ａを中心に回転させるための所定の機構を収納している。
なお、図６の斜視図に、回転軸４ａの実際の軸方向３６ａを一点鎖線で示し、半径５２（線３６）を二点鎖線で示している。
【００２１】
風向板４は、前記のように、一つの吹出口５に複数個設けられ、当該複数個の風向板４は同じ吹出口５で回転軸４ａの方向が互いに異なっている。一つの吹出口４に複数個設けられた風向板４は、前記吹出口５の円弧形状の半径５２と垂直をなす面方向に上下に回動するあるいは、一つの吹出口４に複数個設けられた風向板４は、前記吹出口５の円弧形状の半径５２と鋭角をなす面方向に上下に回動する。ちなみに、平面視した場合は、図４に示すように回転軸４ａの実際の軸方向３６ａと半径５２（線３６）が一致するように、かつ、斜視した場合は、図６に示すように回転軸４ａの実際の軸方向３６ａと半径５２（線３６）が鋭角をなすように回動する。補足すると、外周側の回転軸４ａは、内周側の回転軸４ａよりも、床面から遠い位置となるように（外周側に向かって上り勾配となるように）、回転軸４ａが設定されている。このため、各線３６上に各風向板４の回転軸４ａの方向はほぼ沿っているが、前記の鋭角分だけ回転軸４ａの実際の軸方向３６ａは線３６に対して傾いている。この傾きは、後記する図１３Ｂや図１３Ｈ等において、各風向板４の傾きとなって示されている。
【００２２】
繰り返すと、本実施例１では、風向板４は、側面視した場合、吹出口５の円弧形状の半径（図４の符号５２）とやや鋭角をなす面方向に上下に回動する例をしている。つまり、図５〜図７に示すように、各風向板４は、その吹出口５からの風を受ける面が化粧パネル２の外周側に向かって上り勾配となっている（後記する図１３Ｂや図１３Ｈ等）。この勾配を図５において矢印３７で示している。そのため、風向板４は、吹出口５の円弧形状の半径とやや鋭角をなす面方向に上下に回動する。すなわち、本実施例では前記の特許文献１のように吹出口５の長手方向と直交する方向に向かって回動するのではない。
【００２３】
このように本実施例では、吹出口５が円弧形状で、その長手方向に沿って各風向板４が並んでおり、各風向板４における回転軸４ａの軸方向の違いも吹出口５の円弧形状に沿っているが、本発明は、これに限定されるものではない。例えば、吹出口５の長手方向が直線形状であって、各風向板４の回転軸４ａの軸方向だけが互いに異なっているようにしてもよい。吹出口５の形状も様々な形状を採用してもよい。
【００２４】
図８は、風向板４の駆動部４１の概念図である。風向板４は、吹出口５ごとに独立の動きをすることができる。そのため、吹出口５ごとに対応して４台の駆動モータ４２が設けられている。１台のモータ４２は、１つの吹出口５の全ての風向板４を所定の連結機構４３（機構収納部３３等に収納されている）を介して駆動することができる。これにより、１つの吹出口５の全ての風向板４は、一斉に同じ角度で回転する。図８では、便宜上、一つの連結機構４３に１枚の風向板４だけが連結されているように図示しているが、実際には１つの吹出口５の全ての風向板４が一つの連結機構４３で駆動される。制御部４４は、駆動部４１の全体を制御する。また、各風向板４は吹出口５における長手方向のどちらの向きにも回転させることができる。
【００２５】
また、図４に示すように、隣接し合う吹出口５同士の距離ａは１６３ｍｍ以上とすることが望ましい。さらに、中心３５から視て、隣接し合う吹出口５同士の離れ角度αは２２°以上とすることが望ましい。
なお、各風向板４はすべてが同じ角度となるように回動されてもよいし、各風向板の一枚一枚が異なる角度となるように回動されてもよい。一枚一枚の回動を異なる角度とするためには、例えば、各風向板４の一つ一つに駆動モータ４２が備わるようにするとともに、制御部４４が、それぞれの風向板４の角度（開度）の目標値を設定し、その目標値に応じて駆動モータ４２を駆動させるようにすればよい。
【００２６】
次に、本実施例の作用、効果について説明する。
図９は、１つの吹出口５から吹き出す風５１の例を示している。（Ａ）〜（Ｄ）は、この順に水平面を基準とした風向板４の回転角度が大きくなっている。（Ａ）〜（Ｄ）のそれぞれにおいて、（ａ）は上下方向の風５１の拡がりを示し、（ｂ）は、水平方向の風５１の拡がりを示している。なお、風５１を吹き出さない吹出口５は風向板４を閉じればよい。各（ａ）にそれぞれ示すように、風向板４の角度を大きくするほど、風５１の向きを上向きから下向きにできる。よって、回転軸４ａの回転角度が最も小さい（Ａ）の例では、水平方向５１の最も遠くに風５１を送ることができる。
【００２７】
また、本実施例では、前記のように、１つの吹出口５でも各風向板４の回転軸４ａの向きが異なる。そのため、風５１は水平方向には吹出口５から平行に吹き出すのではなく、風５１の水平方向の拡がりを様々に制御することができる。特に前記の例では、風向板４が吹出口５の長手方向に沿って円弧形状に並ぶので、各（ｂ）にそれぞれ示すように、吹出口５から風５１を水平方向に視て放射状に吹き出すことができる。また、風向板４の回転角度を可変することで、円弧状の吹出口５に対する接線となす風５１の角度も可変できる。
図１０は、各吹出口５において、各風向板４の回転角度を均一にした場合における水平方向の風５１の向きを示している。この例では、水平方向の全方位に近く風５１を放射状に吹き出すことができる。
【００２８】
図１１は、隣り合う２つの吹出口５から吹き出す風５１を説明する説明図である。（Ａ）〜（Ｃ）は、隣り合う２つの吹出口５から風５１を様々なパターンで吹き出す例を示している。図９と同様、（ａ）は上下方向の風５１の拡がりを示し、（ｂ）は、水平方向の風５１の拡がりを示している。前記のとおり、吹出口５ごとに風向板４の回転角度を異ならせることができるので、（Ａ）〜（Ｃ）に示すように、上下方向にも水平方向にも様々な方向に風５１を吹き出すことができる。
図１２は、全ての吹出口５から風５１を吹き出す例を示す図である。全ての吹出口５から風５１を吹き出して、全ての風５１を水平方向の一方側に偏らせる例を示している。
【００２９】
以上のように、本実施例では、一種類の風向板４によって、上下方向にも、水平方向にも様々に吹出口５から吹き出す風５１の向きを変えることができる。よって、吹出口５から吹き出す風５１の方向を制御できる範囲を低製造コストで拡大することができる。しかも、図１１や図１２に示されるように、従来とは全く異なる風向の制御を行うことができる。つまり、風向の制御の自由度を増すことができる。
なお、具体的に各吹出口５からの風５１の吹き出し方向の指示は、リモコン４００の操作によってもよいし、天井設置型室内機１００を設置している室内の温度センサ、人感センサ等を用いたセンシングに基づいた制御によってもよい。
また、各風向板４は、その風を受ける面が化粧パネル２下面の外周側に向かって上り勾配となっている（図５の矢印３７）。そのため、風５１を化粧パネル２下面の外周側に拡散させて、ショートサーキットを生じないようにすることができる。すなわち、吹出口５から吹出された風５１が直ぐに吸込口２ａに吸い込まれないようにすることができる。ちなみに、上り勾配の角度が小さい場合は、ショートサーキットが生じやすくなる。
【００３０】
さらに、室内熱交換器８を円筒状としたことにより、室内熱交換器８と遠心送風機６との間における流速分布のばらつきが改善され、圧力損失の低減、および熱交換効率の向上を図ることができる。また、吹出口５に対応した円形状とすることで、上面視で矩形形状の熱交換器よりも周長を長く確保でき伝熱面積を大きくすることができる。
そのうえ、隣接し合う吹出口５同士の距離ａは１６３ｍｍ以上とし、中心３５から視て隣接し合う吹出口５同士の離れ角度αを２２°以上とすることで、ショートサーキットを防止することができる。
【００３１】
図１３Ａ〜図１３Ｌは、天井設置型室内機１００の全体の外観を示す図である。特に、これらの図面は、本実施例の天井設置型室内機１００を、将来、部分意匠出願に出願変更することを想定して提示するものである。図１３Ａは天井設置型室内機１００の底面図、図１３Ｂは同正面図、図１３Ｃは同右側面図、図１３Ｄは同平面図、図１３Ｅは同背面図、図１３Ｆは図１３Ａのａ−ａ，ｂ−ｂ部分拡大図、図１３Ｇは図１３Ｆのｃ−ｃ拡大端面図、図１３Ｈは図１３Ｇのｄ−ｄ部分拡大図、図１３Ｉは図１３Ｆのｇ−ｇ拡大端面図、図１３Ｊは図１３Ｆのｅ−ｅ，ｆ−ｆ部分拡大図、図１３Ｋは図１３Ｊのｈ−ｈ部分拡大図、図１３Ｌは風向板４を開いた状態を示す図１３Ｆのｈ−ｈ部分拡大図である。
各図において、破線は透視線ではなく、これら各図において特に注目する形状部位以外の形状を示す線として用いている。また、一点鎖線は中心線ではなく、これら各図において特に注目する形状部位とそれ以外の境界のみを示す線として用いている。
なお、左側面図は右側面図に対称につき省略している。また、各端面図において内部機構は省略している。
また、これらの図１３Ａ〜図１３Ｌに記載された部材等に付された符号は、既に説明したものと同様であり、同じ符号が付された部材等の再度の説明を省略する。
【００３２】
図１９Ａ〜図１９Ｌは、本実施例の天井設置型室内機１００の全体の外観を示す図である。これらの図面は、本実施例１の天井設置型室内機１００を、将来、全体意匠出願又は部分意匠出願に出願変更することを想定して提示するものである。 
図１９Ａは天井設置型室内機１００の底面図、図１９Ｂは同正面図、図１９Ｃは同右側面図、図１９Ｄは同平面図、図１９Ｅは同背面図、図１９Ｆは図１９Ａのａ−ａ，ｂ−ｂ部分拡大図、図１９Ｇは図１９Ｆのｃ−ｃ拡大端面図、図１９Ｈは図１９Ｇのｄ−ｄ部分拡大図、図１９Ｉは図１９Ｆのｇ−ｇ拡大端面図、図１９Ｊは図１９Ｆのｅ−ｅ，ｆ−ｆ部分拡大図、図１９Ｋは図１９Ｊのｈ−ｈ部分拡大図、図１９Ｌは風向板４を開いた状態を示す図１９Ｆのｈ−ｈ部分拡大図である。底面図の略中央に表されたストライプ状部位は吸込口２ａである。
【００３３】
左側面図は右側面図に対称につき省略している。また、各端面図において内部機構は省略している。
また、図１９Ａ〜図１９Ｌに記載された部材等に付された符号は、既に説明したものと同様であり、同じ符号が付された部材等の再度の説明を省略する。
【実施例２】
【００３４】
以下では、実施例２が実施例１と異なる点を中心に説明し、実施例１と同様の部材等には同一符号を用いて説明する。
【００３５】
図１４は、風向板４の他の構成例を示す図であり、（ａ）は側面図、（ｂ）は斜視図である。この風向板４は、その回転軸４ａ方向に沿った方向の面であって、風向板４の回転角度に応じて送風方向を制御する第１の面４ｂを備えている。また、回転軸４ａ方向と交差する方向の面であって、化粧パネル２下面の周方向側に向かって送風方向を制御する第２の面４ｃとを備えている。そして、第１の面４ｂと第２の面４ｃとは、曲面４ｄによって接続されている。回転軸４ａのうち、第１の面４ｂ側のものは、第１の面４ｂの端部から延出したアーム４ｅの先端部の横に設けられている。
【００３６】
図１５は、本実施例２で図１４の風向板４を天井設置型室内機１００に取り付けた状態を示す縦断面図であり、（ａ）〜（ｃ）は互いに異なる角度に風向板４を向けた状態を示している。
本実施例では、第１の面４ｂは、実施例１の風向板４と同様の作用を奏する。一方、第２の面４ｃは、化粧パネル２下面の周方向側に向かって吹出す吹出口５からの風を制御する。これによって、吹出口５からの風を水平方向にも更に拡散することができる。
【実施例３】
【００３７】
以下では、実施例３が実施例１と異なる点を中心に説明し、実施例１と同様の部材等には同一符号を用いて説明する。
【００３８】
図１６は、本実施例の天井設置型室内機１００を下側から視た平面図である。本実施例では、各吹出口５の長手方向が円弧状であるのは実施例１と共通であるが、全ての吹出口５が１つの円環上に配列されている訳ではない点で異なる。本実施例の各吹出口５の長手方向は、実施例１の場合より大きな円環の一部をなしている。すなわち、各吹出口５に円弧状に一列に放射状に配置された各風向板４の半径（円弧の中心から風向板４までの距離）は、実施例１の半径５３（中心３５から風向板４までの距離）よりも、本実施例３の方が大きく（長く）なっている。これにより、筺体１の内部に配置する熱交換器８の周長を長くすることができ、例えば、従来のような略四角形状とすることもできるため、効率を向上させることができる。
【００３９】
図１７Ａ〜図１７Ｌは、本実施例の天井設置型室内機１００の全体の外観を示す図である。特に、これらの図面は、本実施例３の天井設置型室内機１００を、将来、部分意匠出願に出願変更することを想定して提示するものである。図１７Ａは天井設置型室内機１００の底面図、図１７Ｂは同正面図、図１７Ｃは同右側面図、図１７Ｄは同平面図、図１７Ｅは同背面図、図１７Ｆは図１７Ａのａ−ａ，ｂ−ｂ部分拡大図、図１７Ｇは図１７Ｆのｃ−ｃ拡大端面図、図１７Ｈは図１７Ｇのｄ−ｄ部分拡大図、図１７Ｉは図１７Ｆのｇ−ｇ拡大端面図、図１７Ｊは図１７Ｆのｅ−ｅ，ｆ−ｆ部分拡大図、図１７Ｋは図１７Ｊのｈ−ｈ部分拡大図、図１７Ｌは風向板４を開いた状態を示す図１７Ｆのｈ−ｈ部分拡大図である。
【００４０】
各図において、破線は透視線ではなく、これら各図において特に注目する形状部位以外の形状を示す線として用いている。また、一点鎖線は中心線ではなく、これら各図において特に注目する形状部位とそれ以外の境界のみを示す線として用いている。
なお、左側面図は右側面図に対称につき省略している。また、各端面図において内部機構は省略している。
また、図１７Ａ〜図１７Ｌに記載された部材等に付された符号は、既に説明したものと同様であり、同じ符号が付された部材等の再度の説明を省略する。
【００４１】
図１８Ａ〜図１８Ｌは、本実施例の天井設置型室内機１００の全体の外観を示す図である。これらの図面も、本実施例３の天井設置型室内機１００を、将来、部分意匠出願に出願変更することを想定して提示するものである。図１７Ａ〜図１７Ｌと図１８Ａ〜図１８Ｌとは同じ形態の天井設置型室内機１００であるが、部分意匠として注目する部分が異なる。図１８Ａは天井設置型室内機１００の底面図、図１８Ｂは同正面図、図１８Ｃは同右側面図、図１８Ｄは同平面図、図１８Ｅは同背面図、図１８Ｆは図１８Ａのａ−ａ，ｂ−ｂ部分拡大図、図１８Ｇは図１８Ｆのｃ−ｃ拡大端面図、図１８Ｈは図１８Ｇのｄ−ｄ部分拡大図、図１８Ｉは図１８Ｆのｇ−ｇ拡大端面図、図１８Ｊは図１８Ｆのｅ−ｅ，ｆ−ｆ部分拡大図、図１８Ｋは図１８Ｊのｈ−ｈ部分拡大図、図１８Ｌは風向板４を開いた状態を示す図１８Ｆのｈ−ｈ部分拡大図である。
【００４２】
各図において、破線は透視線ではなく、これら各図において特に注目する形状部位以外の形状を示す線として用いている。また、一点鎖線は中心線ではなく、これら各図において特に注目する形状部位とそれ以外の境界のみを示す線として用いている。
なお、左側面図は右側面図に対称につき省略している。また、各端面図において内部機構は省略している。
また、図１８Ａ〜図１８Ｌに記載された部材等に付された符号は、既に説明したものと同様であり、同じ符号が付された部材等の再度の説明を省略する。
【００４３】
図２０Ａ〜図２０Ｌは、本実施例の天井設置型室内機１００の全体の外観を示す図である。これらの図面は、本実施例３の天井設置型室内機１００を、将来、全体意匠出願または部分意匠出願に出願変更することを想定して提示するものである。 
図２０Ａは天井設置型室内機１００の底面図、図２０Ｂは同正面図、図２０Ｃは同右側面図、図２０Ｄは同平面図、図２０Ｅは同背面図、図２０Ｆは図２０Ａのａ−ａ，ｂ−ｂ部分拡大図、図２０Ｇは図２０Ｆのｃ−ｃ拡大端面図、図２０Ｈは図２０Ｇのｄ−ｄ部分拡大図、図２０Ｉは図２０Ｆのｇ−ｇ拡大端面図、図２０Ｊは図２０Ｆのｅ−ｅ，ｆ−ｆ部分拡大図、図２０Ｋは図２０Ｊのｈ−ｈ部分拡大図、図２０Ｌは風向板４を開いた状態を示す図２０Ｆのｈ−ｈ部分拡大図である。底面図の略中央に表されたストライプ状部位は吸込口２ａである。
【００４４】
左側面図は右側面図に対称につき省略している。また、各端面図において内部機構は省略している。
また、図２０Ａ〜図２０Ｌに記載された部材等に付された符号は、既に説明したものと同様であり、同じ符号が付された部材等の再度の説明を省略する。
【その他の変形例】
【００４５】
以下では、将来の意匠出願への変更を想定した変形例を複数例提示する。
【００４６】
（変形例１）
図２１Ａ〜図２１Ｍは、本実施例の天井設置型室内機１００の全体の外観的な変形例を示す図である。これらの図面は、本実施例１の天井設置型室内機１００の外観的な変形例を、将来、全体意匠出願又は部分意匠出願に出願変更することを想定して提示するものである。
図２１Ａは天井設置型室内機１００の底面図、図２１Ｂは同正面図、図２１Ｃは同右側面図、図２１Ｄは同平面図、図２１Ｅは同背面図、図２１Ｆは図２１Ａのａ−ａ，ｂ−ｂ部分拡大図、図２１Ｇは図２１Ｆのｃ−ｃ拡大端面図、図２１Ｈは図２１Ｇのｄ−ｄ部分拡大図、図２１Ｉは図２１Ｆのｇ−ｇ拡大端面図、図２１Ｊは図２１Ｆのｅ−ｅ，ｆ−ｆ部分拡大図、図２１Ｋは図２１Ｊのｈ−ｈ部分拡大図、図２１Ｌは風向板４を開いた状態を示す図２１Ｆのｈ−ｈ部分拡大図、図２１Ｍは底面図において稜線を表した図である。底面図の略中央に表されたストライプ状部位は吸込口２ａである。
【００４７】
左側面図は右側面図に対称につき省略している。また、各端面図において内部機構は省略している。
また、図２１Ａ〜図２１Ｍに記載された部材等に付された符号は、既に説明したものと同様であり、同じ符号が付された部材等の再度の説明を省略する。
【００４８】
（変形例２）
図２２Ａ〜図２２Ｍは、本実施例の天井設置型室内機１００の全体の外観的な変形例を示す図である。これらの図面は、本実施例３の天井設置型室内機１００の外観的な変形例を、将来、全体意匠出願又は部分意匠出願に出願変更することを想定して提示するものである。
図２２Ａは天井設置型室内機１００の底面図、図２２Ｂは同正面図、図２２Ｃは同右側面図、図２２Ｄは同平面図、図２２Ｅは同背面図、図２２Ｆは図２２Ａのａ−ａ，ｂ−ｂ部分拡大図、図２２Ｇは図２２Ｆのｃ−ｃ拡大端面図、図２２Ｈは図２２Ｇのｄ−ｄ部分拡大図、図２２Ｉは図２２Ｆのｇ−ｇ拡大端面図、図２２Ｊは図２２Ｆのｅ−ｅ，ｆ−ｆ部分拡大図、図２２Ｋは図２２Ｊのｈ−ｈ部分拡大図、図２２Ｌは風向板４を開いた状態を示す図２２Ｆのｈ−ｈ部分拡大図、図２２Ｍは底面図において稜線を表した図である。底面図の略中央に表されたストライプ状部位は吸込口２ａである。
【００４９】
左側面図は右側面図に対称につき省略している。また、各端面図において内部機構は省略している。
また、図２２Ａ〜図２２Ｍに記載された部材等に付された符号は、既に説明したものと同様であり、同じ符号が付された部材等の再度の説明を省略する。
【００５０】
なお、本発明は上記した実施例に限定されるものではなく、様々な変形例が含まれる。例えば、図１６に示した天井設置型室内機１００に、図１４に示すような他の構成例の風向板４を適用してもよい。また、風向板４は、円弧形状の吹出口５に一列に円弧を描くように配列されていたが、二列に配列されていてもよい。また、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
【符号の説明】
【００５１】
１      筺体
２ａ    吸込口
４      風向板
４ｂ    第１の面
４ｃ    第２の面
５      吹出口
６      遠心送風機（送風ファン）
８      室内熱交換器（熱交換器）
４２    モータ
１００  天井設置型室内機
２００  室外機
３００  冷媒配管
１０００  空気調和機
【図１】
2018169063.tif 000003
【図２】
2018169063.tif 000004
【図３】
2018169063.tif 000005
【図４】
2018169063.tif 000006
【図５】
2018169063.tif 000007
【図６】
2018169063.tif 000008
【図７】
2018169063.tif 000009
【図８】
2018169063.tif 000010
【図９】
2018169063.tif 000011
【図１０】
2018169063.tif 000012
【図１１】
2018169063.tif 000013
【図１２】
2018169063.tif 000014
【図１３Ａ】
2018169063.tif 000015
【図１３Ｂ】
2018169063.tif 000016
【図１３Ｃ】
2018169063.tif 000017
【図１３Ｄ】
2018169063.tif 000018
【図１３Ｅ】
2018169063.tif 000019
【図１３Ｆ】
2018169063.tif 000020
【図１３Ｇ】
2018169063.tif 000021
【図１３Ｈ】
2018169063.tif 000022
【図１３Ｉ】
2018169063.tif 000023
【図１３Ｊ】
2018169063.tif 000024
【図１３Ｋ】
2018169063.tif 000025
【図１３Ｌ】
2018169063.tif 000026
【図１４】
2018169063.tif 000027
【図１５】
2018169063.tif 000028
【図１６】
2018169063.tif 000029
【図１７Ａ】
2018169063.tif 000030
【図１７Ｂ】
2018169063.tif 000031
【図１７Ｃ】
2018169063.tif 000032
【図１７Ｄ】
2018169063.tif 000033
【図１７Ｅ】
2018169063.tif 000034
【図１７Ｆ】
2018169063.tif 000035
【図１７Ｇ】
2018169063.tif 000036
【図１７Ｈ】
2018169063.tif 000037
【図１７Ｉ】
2018169063.tif 000038
【図１７Ｊ】
2018169063.tif 000039
【図１７Ｋ】
2018169063.tif 000040
【図１７Ｌ】
2018169063.tif 000041
【図１８Ａ】
2018169063.tif 000042
【図１８Ｂ】
2018169063.tif 000043
【図１８Ｃ】
2018169063.tif 000044
【図１８Ｄ】
2018169063.tif 000045
【図１８Ｅ】
2018169063.tif 000046
【図１８Ｆ】
2018169063.tif 000047
【図１８Ｇ】
2018169063.tif 000048
【図１８Ｈ】
2018169063.tif 000049
【図１８Ｉ】
2018169063.tif 000050
【図１８Ｊ】
2018169063.tif 000051
【図１８Ｋ】
2018169063.tif 000052
【図１８Ｌ】
2018169063.tif 000053
【図１９Ａ】
2018169063.tif 000054
【図１９Ｂ】
2018169063.tif 000055
【図１９Ｃ】
2018169063.tif 000056
【図１９Ｄ】
2018169063.tif 000057
【図１９Ｅ】
2018169063.tif 000058
【図１９Ｆ】
2018169063.tif 000059
【図１９Ｇ】
2018169063.tif 000060
【図１９Ｈ】
2018169063.tif 000061
【図１９Ｉ】
2018169063.tif 000062
【図１９Ｊ】
2018169063.tif 000063
【図１９Ｋ】
2018169063.tif 000064
【図１９Ｌ】
2018169063.tif 000065
【図２０Ａ】
2018169063.tif 000066
【図２０Ｂ】
2018169063.tif 000067
【図２０Ｃ】
2018169063.tif 000068
【図２０Ｄ】
2018169063.tif 000069
【図２０Ｅ】
2018169063.tif 000070
【図２０Ｆ】
2018169063.tif 000071
【図２０Ｇ】
2018169063.tif 000072
【図２０Ｈ】
2018169063.tif 000073
【図２０Ｉ】
2018169063.tif 000074
【図２０Ｊ】
2018169063.tif 000075
【図２０Ｋ】
2018169063.tif 000076
【図２０Ｌ】
2018169063.tif 000077
【図２１Ａ】
2018169063.tif 000078
【図２１Ｂ】
2018169063.tif 000079
【図２１Ｃ】
2018169063.tif 000080
【図２１Ｄ】
2018169063.tif 000081
【図２１Ｅ】
2018169063.tif 000082
【図２１Ｆ】
2018169063.tif 000083
【図２１Ｇ】
2018169063.tif 000084
【図２１Ｈ】
2018169063.tif 000085
【図２１Ｉ】
2018169063.tif 000086
【図２１Ｊ】
2018169063.tif 000087
【図２１Ｋ】
2018169063.tif 000088
【図２１Ｌ】
2018169063.tif 000089
【図２１Ｍ】
2018169063.tif 000090
【図２２Ａ】
2018169063.tif 000091
【図２２Ｂ】
2018169063.tif 000092
【図２２Ｃ】
2018169063.tif 000093
【図２２Ｄ】
2018169063.tif 000094
【図２２Ｅ】
2018169063.tif 000095
【図２２Ｆ】
2018169063.tif 000096
【図２２Ｇ】
2018169063.tif 000097
【図２２Ｈ】
2018169063.tif 000098
【図２２Ｉ】
2018169063.tif 000099
【図２２Ｊ】
2018169063.tif 000100
【図２２Ｋ】
2018169063.tif 000101
【図２２Ｌ】
2018169063.tif 000102
【図２２Ｍ】
2018169063.tif 000103